(57)【要約】【課題】  記録媒体としてのディスクを収容するハウジングに、ヘッドアクセス用の開口と、この開口を開閉するロータリーシャッターと、ロータリーシャッターを閉方向に付勢する引張バネとを備えてなる小型ディスクカートリッジにおいて、ロータリーシャッターの開閉動作の安定化を図る。【解決手段】  フレーム２の下方に引張バネ１４の一部が挿通される挿通孔２ｅを形成し、この挿通孔２ｅ内に引張バネ１４の一端のループ１４ａを嵌着係止する突起部２ｆを形成して、引張バネ１４の一端をフレーム２とロータリーシャッター７の外周縁との間に形成された円弧状のバネガイド溝２ｃ、すなわちロータリーシャッター７の外周部から外れた位置に係止し、ロータリーシャッター７の開閉動作時に、バネ部材１４がロータリーシャッターと接触する領域を少なくする。【選択図】        図２
2005285175.tif 000002
【特許請求の範囲】
【請求項１】
記録媒体としてのディスクを回転自在に収容するハウジングに、ドライブ装置の記録再生ヘッドを前記ディスクの表面にアクセスさせるための開口と、バネ部材により閉方向に付勢された態様で前記開口を開閉するロータリーシャッターとを備えてなる小型ディスクカートリッジにおいて、
前記バネ部材が引張バネであり、
該引張バネの一端が前記ロータリーシャッターに係止されるとともに、他端が前記ハウジングの前記ロータリーシャッターの外周部から外れた位置に係止され、
前記引張バネの前記他端から所定の長さまでの区間が、前記ロータリーシャッターの外周と接しない非接触領域となっていることを特徴とする小型ディスクカートリッジ。
【請求項２】
前記ロータリーシャッターが閉位置にある際の前記非接触領域の長さが、前記ロータリーシャッターが閉位置にある際の前記引張バネの全長の１／４以上であることを特徴とする請求項１記載の小型ディスクカートリッジ。
【請求項３】
前記ロータリーシャッターが開位置にある際の前記非接触領域の長さが、前記ロータリーシャッターが開位置にある際の前記引張バネの全長の１／８以上であることを特徴とする請求項１記載の小型ディスクカートリッジ。
【発明の詳細な説明】
【技術分野】
【０００１】
本発明は、ハウジング内にディスクを回転自在に収容してなる小型ディスクカートリッジに関し、特にハウジングに形成された記録再生ヘッドアクセス用の開口を開閉するためのロータリーシャッターの開閉動作の安定化に関するものである。
【背景技術】
【０００２】
従来、デジタルカメラ等のモバイル機器においては、記録媒体として例えば特許文献１に記載されているような超小型の磁気ディクカートリッジが使用されている。
【０００３】
この小型ディスクカートリッジ１は、図３（ａ）〜（ｃ）にそのロータリーシャッター７が閉状態にある平面図、右側面図および底面図を、図４（ａ），（ｂ）にロータリーシャッター７が開状態にある平面図および底面図を、図５にその分解斜視図をそれぞれ示すように、押込み部２ａを含む樹脂製のフレーム２と、金属薄板からなる上下シェル３，４とによって構成された、幅５０ｍｍ、奥行き５５ｍｍ、厚さ１．９５ｍｍの扁平なハウジング内に、直径４６．５ｍｍの磁気ディスク５を回転自在に収容している。
【０００４】
この小型ディスクカートリッジ１は、図示しないドライブ装置に挿入態様で装填されるように構成され、そのハウジングには、ドライブ装置が備えている磁気ヘッド（記録再生ヘッド）を磁気ディスク５の表面にアクセスさせるためのＶ字状の開口部６と、この開口部６を開閉するためのロータリーシャッター７とが設けられている。
【０００５】
ハウジングの開口部６とほぼ同一形状の開口部７ａを備えたロータリーシャッター７は、互いに係合された上下のシャッター部材７Ｕ、７Ｄ（図５参照）からなり、上シャッター部材７Ｕは上シェル３に、下シャッター部材７Ｄは下シェル４にそれぞれ回転可能に軸支されている。そして、磁気ディスク５と上下のシャッター部材７Ｕ、７Ｄとの間には、それぞれライナー１８が介挿されている。
【０００６】
また、図３（ａ）におけるハウジングの左側面先端部には、ドライブ装置の係合部材に係合させて、ドライブ装置内での位置決めを確実にするためのノッチ８が形成され、右側面先端部には、ロータリーシャッター７を閉位置にロックするためのシャッターロック部材１１を外部に臨ませる小窓９が図３（ｂ）に示すように形成されている。
【０００７】
ハウジングの下シェル４には、磁気ディスク５のセンタコア１０を外部に臨ませる円形の中心孔４ａと、ロータリーシャッター７と同心的な円弧状溝４ｂとが形成され、下シャッター部材７Ｄには、上記円弧状溝４ｂから突出しかつこの円弧状溝４ｂに沿って移動してロータリーシャッター７を開閉するシャッターノブ７ｂが固設されている。
【０００８】
特許文献１では、金属線からなるガイドワイヤーを通した圧縮コイルバネを使って、上シャッター部材７Ｕと下シャッター部材７Ｄとからなるロータリーシャッター７を閉方向に付勢しているが、より部品点数の少ないものとして、ガイドワイヤーを使用しない引張バネを利用する方法が考えられている。図６はその態様を説明するものであり、図６（ａ）は小型ディスクカートリッジ１のロータリーシャッター７が閉位置にあるときの状態を、図６（ｂ）はロータリーシャッター７が開位置にある状態を、それぞれシャッターロック部材１１を残して上シェル３のみを取り除きかつ磁気ディスク５を省略して示す平面図である。
【０００９】
ロータリーシャッター７を閉位置にロックするシャッターロック部材１１は、ロータリーシャッター７の外周に形成された係合凹部７ｃに係入し得る係合凸部１１ａを先端に備えて、上シェル３に設けられた軸１２に回動自在に取り付けられているとともに、バネ板１１ｂによって、上記係合凸部１１ａが上記係合凹部７ｃに係入し得る方向（図６の反時計方向）にバネ付勢されている。
【００１０】
そして、小型ディスクカートリッジ１がドライブ装置へ挿入される際に、ドライブ装置のロック解除部材が小窓９を通してシャッターロック部材１１を押圧することにより、ロック部材１１が時計方向に僅かに回動されて、係合凸部１１ａが係合凹部７ｃから脱出することによって、ロータリーシャッター７のロックが解除される。
【００１１】
ロータリーシャッター７は、引張バネ１４によって閉方向（図６の反時計方向）にバネ付勢されている。引張バネ１４は、フレーム２の右端におけるロータリーシャッター７の外周面に対向する部位２ｂに形成された第１バネ係止部Ａにおいて一端を係止され、他端は、第１バネ係止部Ａよりもロータリーシャッター７の開方向側においてロータリーシャッター７に形成された第２バネ係止部Ｂに係止されて、フレーム２とロータリーシャッター７の外周縁との間に形成された円弧状のバネガイド溝２ｃ内に収容され、ロータリーシャッター７の開動作に伴って、図６（ｂ）に示すように延伸される。
【００１２】
そして、小型ディスクカートリッジ１がドライブ装置に挿入されると、先ずロック解除部材がシャッターロック部材１１を押圧してロータリーシャッター７のロック状態を解除し、その状態でシャッターノブ７ｂがドライブ装置のシャッターノブ係止壁に係合するから、小型ディスクカートリッジ１の押し込みに伴ってロータリーシャッター７が引張バネ１４を延伸しながら回動されて、図４（ａ），（ｂ）および図６（ｂ）に示すように開状態となる。
【特許文献１】米国特許第６２５６１６８号明細書
【発明の開示】
【発明が解決しようとする課題】
【００１３】
ところで、上述の小型ディスクカートリッジ１においては、ロータリーシャッター７を付勢するバネに引張バネ１４を用いているため、ロータリーシャッター７の開閉動作時に、引張バネ１４が自身の復元力によってロータリーシャッター７と接して摩擦が生じてしまい、ロータリーシャッター７の開閉動作が不安定となってしまうという問題のあることが新たに判明した。
【００１４】
本発明は上記問題に鑑みてなされたものであり、記録媒体としてのディスクを回転自在に収容するハウジングに、ドライブ装置の記録再生ヘッドをディスクの表面にアクセスさせるための開口と、この開口を開閉するロータリーシャッターと、一端がロータリーシャッターに係止されるとともに他端がハウジングに係止され、ロータリーシャッターを閉方向に付勢する引張バネとを備えてなる小型ディスクカートリッジにおいて、ロータリーシャッターの開閉動作の安定化を図ることを目的とするものである。
【課題を解決するための手段】
【００１５】
本発明による小型ディスクカートリッジは、記録媒体としてのディスクを回転自在に収容するハウジングに、ドライブ装置の記録再生ヘッドをディスクの表面にアクセスさせるための開口と、バネ部材により閉方向に付勢された態様で開口を開閉するロータリーシャッターとを備えてなる小型ディスクカートリッジにおいて、バネ部材が引張バネであり、引張バネの一端がロータリーシャッターに係止されるとともに、他端がハウジングのロータリーシャッターの外周部から外れた位置に係止され、引張バネの他端から所定の長さまでの区間が、ロータリーシャッターの外周と接しない非接触領域となっていることを特徴とするものである。
【００１６】
本発明において、ロータリーシャッターが閉位置にある際の非接触領域の長さは、ロータリーシャッターが閉位置にある際の引張バネの全長の１／４以上、より好ましくは１／２以上、さらに好ましくは２／３以上とすることが好ましい。
【００１７】
また、ロータリーシャッターが開位置にある際の非接触領域の長さは、ロータリーシャッターが開位置にある際の引張バネの全長の１／８以上、より好ましくは２／７以上、さらに好ましくは１／３以上とすることが好ましい。
【発明の効果】
【００１８】
本発明によれば、記録媒体としてのディスクを回転自在に収容するハウジングに、ドライブ装置の記録再生ヘッドをディスクの表面にアクセスさせるための開口と、バネ部材により閉方向に付勢された態様で開口を開閉するロータリーシャッターとを備えてなる小型ディスクカートリッジにおいて、バネ部材を引張バネとし、引張バネの一端をロータリーシャッターに係止するとともに、他端をハウジングのロータリーシャッターの外周部から外れた位置に係止し、引張バネの他端から所定の長さまでの区間を、ロータリーシャッターの外周と接しない非接触領域として、ロータリーシャッターの開閉動作時に、バネ部材がロータリーシャッターと接触する領域を少なくしたので、ロータリーシャッターの開閉動作を安定化させることができる。
【発明を実施するための最良の形態】
【００１９】
以下、本発明の実施の形態について、図面を参照して詳細に説明する。
【００２０】
図１は、本発明による小型ディスクカートリッジの一実施の形態を示す要部の分解斜視図、図２は図１の小型ディスクカートリッジの、ロータリーシャッターの閉状態を上シェルを取り除きかつ磁気ディスクを省略して示す平面図（ａ）、ロータリーシャッターの開状態を上シェルを取り除きかつ磁気ディスクを省略して示す平面図（ｂ）である。
【００２１】
本実施の形態は、フレーム２のバネ係止部の構成を除き、図３〜図６を参照して説明した従来の小型ディスクカートリッジ１と同様の構成を有するから、同一部材には同一符号を付し、重複する説明は省略する。
【００２２】
引張バネ１４の両端にはループ１４ａおよびループ１４ｂが形成されている。また、フレーム２の下方には引張バネ１４の一部が挿通される挿通孔２ｅが形成され、この挿通孔２ｅ内に引張バネ１４の一端のループ１４ａを嵌着係止する突起部２ｆが形成されて第１バネ係止部Ａを構成しており、下シャッター部材７Ｄの外周には、下シャッター部材７Ｄの外周面の上縁から半径方向外方に突出する係止用ベース部１３が一体に形成され、このベース部１３のロータリーシャッター開方向側の縁部に、引張バネ１４の他端のループ１４ｂを嵌着係止する折曲げ片１３ａが形成されて第２バネ係止部Ｂを構成している。
【００２３】
第１バネ係止部Ａの突起部２ｆは、フレーム２とロータリーシャッター７の外周縁との間に形成された円弧状のバネガイド溝２ｃ、すなわちロータリーシャッター７の外周部から外れた位置にあるため、ロータリーシャッター７が閉位置にあるときには、図２（ａ）に示すように、ロータリーシャッター７が閉位置にある際の引張バネ１４の全長を、引張バネ１４がロータリーシャッター７の外周と接しない非接触領域とすることができ、ロータリーシャッター７が開位置にあるときには、図２（ｂ）に示すように、ロータリーシャッター７が開位置にある際の引張バネ１４の全長の略１/２を上記非接触領域とすることができるため、ロータリーシャッター７の開閉動作時に、バネ部材１４がロータリーシャッターと接触する領域が少なくなり、ロータリーシャッター７の開閉動作を安定化させることができる。
【図面の簡単な説明】
【００２４】
【図１】本発明の一実施の形態の小型ディスクカートリッジの要部の分解斜視図
【図２】図１の小型ディスクカートリッジのロータリーシャッターの閉状態を上シェルを取り除きかつ磁気ディスクを省略して示す平面図（ａ）、ロータリーシャッターの開状態を上シェルを取り除きかつ磁気ディスクを省略して示す平面図（ｂ）
【図３】従来の小型ディスクカートリッジのロータリーシャッターの閉状態を示す平面図（ａ）、右側面図（ｂ）および底面図（ｃ）
【図４】図３の小型ディスクカートリッジのロータリーシャッターの開状態を示す平面図（ａ）および底面図（ｂ）
【図５】図３の小型ディスクカートリッジの分解斜視図
【図６】図３の小型ディスクカートリッジの、ロータリーシャッターの閉状態を上シェルを取り除きかつ磁気ディスクを省略して示す平面図（ａ）、ロータリーシャッターの開状態を上シェルを取り除きかつ磁気ディスクを省略して示す平面図（ｂ）
【符号の説明】
【００２５】
２    フレーム
３    上シェル
４    下シェル
５    磁気ディスク
７    ロータリーシャッター
７Ｕ    上シャッター部材
７Ｄ    下シャッター部材
１３    係止用ベース部
１３ａ    折曲げ片
１４    引張バネ
１５    ガイド部
Ａ    第１バネ係止部
Ｂ    第２バネ係止部
【図１】
2005285175.tif 000003
【図２】
2005285175.tif 000004
【図３】
2005285175.tif 000005
【図４】
2005285175.tif 000006
【図５】
2005285175.tif 000007
【図６】
2005285175.tif 000008